(57)【要約】【課題】マイナスの宇宙(ビッグバンの以前の宇宙)はどのようであったか。【解決手段】マイナスの宇宙は収縮宇宙です。マイナスの宇宙を1つのブラックホールと見做すことができる。マイナスの宇宙は電磁気の宇宙です。そして収縮宇宙です。マイナスの宇宙の球体は、収縮していきました。最後に残ったのは、マイナスの宇宙の球体のA=2.34×109の場である、電子のラブができ、陽子のラブができた点です。これがマイナスのA=6.89×109の場で爆発しました。この場のエネルギーは、プラスのエネルギーに換算するとA=1020と同じエネルギーです。これがビッグバンです。原初の電磁気1個のエネルギーを1.821×10−19Jとし、宇宙の原子数を1.0765×1079個とし、計算する。【選択図】【図1】
2020201708.tif 000002
【特許請求の範囲】
【請求項１】
マイナスの宇宙(ビッグバンの以前の宇宙)はどのようであるか。
マイナスの宇宙は収縮宇宙です。
マイナスの宇宙を1つのブラックホールと見做すことができる。
ブラックホールの表面の軌道エネルギーは(3×108)2Jの球体です。表面の速度は3×108mで、表面の軌道エネルギーは(3×108)2Jです。
ブラックホールは中心に成る程、軌道エネルギーは大きく成り、速度は速く成り、引力は大きく成ります。
マイナスの宇宙は場のエネルギーが大きく成るほど軌道は小さく成り、1束の電磁気の数は多く成り、高エネルギーの電磁気の塊に成ります。
【請求項２】
速度と引力の関係について。速度とは何か。引力とは何か。
ブラックホールは中心に成る程、軌道エネルギーは大きく成り、速度は加速し、引力は加引力します。軌道エネルギー＝速度2＝引力2、であるからです。
軌道エネルギー＝速度2＝引力2＝加速度＝加引力
この事から考えると、速度とは引力です。速度とは引かれる力です。速度とは引く力です。
電車が走る速度は引かれる力によりできます。
引く力はマイナス方向に押す力です。マイナス方向に押す力により、速度ができます。
加引力は加速度に成り、引力は速度に成る。方向が逆です。
軌道エネルギーの式によりこの事が理解できます。
【請求項３】
マイナスの宇宙をブラックホールとして理解する。
マイナスの宇宙は電磁気の宇宙です。そして収縮宇宙です。電磁気は塊を大きくし、エネルギーを大きくし、中央の高エネルギーの場に集まります。中央の場で、最大のエネルギーの場に成った時爆発します。これがビッグバンです。
ビッグバンを1点から噴出した現象として理解してきましたが、考えてみると、中央の1点が爆発した現象です。
マイナスの宇宙をブラックホールである、と理解できます。中央に成る程、高エネルギーの場に成る。中央に成る程、軌道が狭く成る。中央に成る程、電磁気の塊が多く成り、高エネルギーの電磁気体に成る。
即ち、マイナスの宇宙は表のように成っています。
表６
2020201708.tif 000009
球体はこのように進んでいきました。次第に収縮していきました。
球体は時間と共に収縮しました。
【請求項４】
マイナスの宇宙で、電子のラブに成る１束の電磁気の大きさと陽子のラブに成る1束の大きさ(軌道の大きさ)はどのように進んだか。
1束の電磁気の軌道＝1.233×10−41Jm÷1束の電磁気のエネルギー、の式により計算し、それを表に記す。
表７
2020201708.tif 000010
2020201708.tif 000011
マイナスの宇宙の球体は、収縮していきました。
最後に残ったのは、電子のラブと陽子のラブができた、マイナスの宇宙の球体のA=2.34×109の場である、電子のラブができ、陽子のラブができた点です。
これがマイナスのA=6.89×109の場で爆発しました。この場のエネルギーは、プラスのエネルギーに換算するとA=1020と同じエネルギーです。
これがビッグバンです。
それが、−273度の場に出たので、光速に成った。
電子のラブと陽子のラブは原子になる物とダークマターになる物がいました。
【請求項５】
ビッグバンの以前の原子の数について。
私は、特願2009−218192に於いて次のように記した。
ビッグバンの以前の電子のラブのエネルギーをaJとすると、ビッグバンの以前の原子数は1.0765×1079×a6、です。
ビッグバンの以前の原子の数
表８
2020201708.tif 000012
それで、宇宙の原子数を1.0765×1079個とする。
【請求項６】
マイナスの宇宙のA=1の場の球体はどのようであるか。
マイナスの宇宙のA=1の場の電磁気1個の大きさは、1.233×10−41Jm÷(電磁気1個のエネルギー)＝1.233×10−41Jm÷(1.821×10−19J)＝6.771×10−23m、です。
宇宙の電磁気の数＝宇宙の原子数×１原子の電子のラブと陽子のラブの数×1個の素粒子の電磁気数＝1.077×1079個×2×7.028×1017個＝1.504×1097個
半径にr個の電磁気が存在するとする。
4/3×πr3＝1.504×1097個
r3＝1.504×1097個÷4π×3＝3.592×1096個
r=1.53×1032個
半径＝電磁気の個数×電磁気1個の大きさ＝1.53×1032個×6.771×10−23ｍ＝1.036×1010m
ビッグバンの以前の宇宙の初めのブラックホールの半径は1.036×1010mです。
【請求項７】
ビッグバンのときの宇宙の大きさはいくらか。
陽子のラブの数は1.077×1079個です。
半径に存在する陽子のラブの数をｒとする。
4/3×πr3＝1.077×1079個
r3=1.077×1079個×3÷4π＝2.572×1078個
r=1.37×1026個
ビッグバンのときの陽子のラブの大きさは、1.233×10−41Jm÷ (1.591×104J)＝7.750×10−46m、です。
ビッグバンのときの陽子のラブの塊の半径＝半径に存在する陽子のラブの数×陽子のラブの大きさ＝1.37×1026個×7.750×10−46m＝1.062×10−19m
ビッグバンのとき、陽子のラブが飛び出した時の宇宙の半径は1.062×10−19mです。
ビッグバンのとき、電子のラブが飛び出した時の半径はいくらか。
ビッグバンのときの電子のラブの大きさは、1.233×10−41Jm÷(8.664J)＝1.423×10−42m、です。
ビッグバンのときの電子のラブの塊の半径＝半径に存在する電子のラブの数×電子のラブの大きさ＝1.37×1026個×1.423×10−42m＝1.950×10−16m、です。
ビッグバンのとき、電子のラブが飛び出した時の半径は1.950×10−16mです。
まとめて表に示す。
表９
2020201708.tif 000013
表１０
2020201708.tif 000014
【発明の詳細な説明】
【技術分野】
【０００１】
本発明は、マイナスの宇宙とブラックホールとビッグバンに関するものである。
【背景技術】
【０００２】
2018年5月20日に提出した、特願2018−096696の「請求項7」で、次のように記した。
「請求項7」  ブラックホールの場とはどのような場であるか。
ブラックホールの場とはA=3×108以上の場であり、その場の速度は3×108m/s以上であり、引力は3×108J以上である。ブラックホールの半径＝光子（電磁気）がブラックホールに引かれる軌道半径は、ブラックホールの質量が10n太陽質量の場合、6.042×10×102n/3Kmです。
ブラックホールの場のエネルギーはビッグバンの以前（マイナスの宇宙）のエネルギーと同じです。A=3×108以上の場です。
【先行技術文献】
【特許文献】
【０００３】
【特許文献１】特願2018−096696
【発明の概要】
【発明が解決しようとする課題】
【０００４】
マイナスの宇宙(ビッグバンの以前の宇宙)はどのようであったか。
【課題を解決するための手段】
【０００５】
マイナスの宇宙(ビッグバンの以前の宇宙)は１つのブラックホールのようであった。
【発明の効果】
【０００６】
マイナスの宇宙(ビッグバンの以前の宇宙)の大きさを計算できた。
【図面の簡単な説明】
【０００７】
【図１】図１はマイナスの宇宙(ビッグバンの以前の宇宙)の大きさと、ビッグバンが起きた点を示す。マイナスの宇宙は収縮宇宙です。原初電磁気の宇宙の大きさは1010mでした。電磁気は表１のように1束の電磁気のエネルギーを大きくし、表２のように1束の電磁気の軌道を小さくしていった最後に残ったのは、マイナスの宇宙の球体のA=2.34×109の場である、電子のラブができ、陽子のラブができた点です。これがマイナスのA=6.89×109の場で爆発しました。この場のエネルギーは、プラスのエネルギーに換算するとA=1020と同じエネルギーです。これがビッグバンです。ビッグバンのときには、約10−19mに収縮した。
【発明を実施するための形態】
【０００８】
１．    マイナスの宇宙(ビッグバンの以前の宇宙)はどのようであるか。
マイナスの宇宙は収縮宇宙です。
マイナスの宇宙を1つのブラックホールと見做すことができる。
ブラックホールの表面の軌道エネルギーは(3×108)2Jの球体です。表面の速度は3×108mで、表面の軌道エネルギーは(3×108)2Jです。
ブラックホールは中心に成る程、軌道エネルギーは大きく成り、速度は速く成り、引力は大きく成ります。
マイナスの宇宙は場のエネルギーが大きく成るほど軌道は小さく成り、1束の電磁気の数は多く成り、高エネルギーの電磁気の塊に成ります。
２．    速度と引力の関係について。速度とは何か。引力とは何か。
ブラックホールは中心に成る程、軌道エネルギーは大きく成り、速度は加速し、引力は加引力します。軌道エネルギー＝速度2＝引力2、であるからです。
軌道エネルギー＝速度2＝引力2＝加速度＝加引力
この事から考えると、速度とは引力です。速度とは引かれる力です。速度とは引く力です。
電車が走る速度は引かれる力によりできます。
引く力はマイナス方向に押す力です。マイナス方向に押す力により、速度ができます。
加引力は加速度に成り、引力は速度に成る。方向が逆です。
軌道エネルギーの式によりこの事が理解できます。
３．    マイナスの宇宙をブラックホールとして理解する。
マイナスの宇宙は電磁気の宇宙です。そして収縮宇宙です。電磁気は塊を大きくし、エネルギーを大きくし、中央の高エネルギーの場に集まります。中央の場で、最大のエネルギーの場に成った時爆発します。これがビッグバンです。
ビッグバンを1点から噴出した現象として理解してきましたが、考えてみると、中央の1点が爆発した現象です。
マイナスの宇宙をブラックホールである、と理解できます。中央に成る程、高エネルギーの場に成る。中央に成る程、軌道が狭く成る。中央に成る程、電磁気の塊が多く成り、高エネルギーの電磁気体に成る。
即ち、マイナスの宇宙は表のように成っています。
表1
2020201708.tif 000003
球体はこのように進んでいきました。次第に収縮していきました。
球体は時間と共に収縮しました。
４．    マイナスの宇宙で、電子のラブに成る１束の電磁気の大きさと陽子のラブに成る1束の大きさ(軌道の大きさ)はどのように進んだか。
1束の電磁気の軌道＝1.233×10−41Jm÷1束の電磁気のエネルギー、の式により計算し、それを表に記す。
表2
2020201708.tif 000004
2020201708.tif 000005
マイナスの宇宙の球体は、収縮していきました。
最後に残ったのは、電子のラブと陽子のラブができた、マイナスの宇宙の球体のA=2.34×109の場である、電子のラブができ、陽子のラブができた点です。
これがマイナスのA=6.89×109の場で爆発しました。この場のエネルギーは、プラスのエネルギーに換算するとA=1020と同じエネルギーです。
これがビッグバンです。
それが、−273度の場に出たので、光速に成った。
電子のラブと陽子のラブは原子になる物とダークマターになる物がいました。
５．    ビッグバンの以前の原子の数について。
私は、特願2009−218192に於いて次のように記した。
ビッグバンの以前の電子のラブのエネルギーをaJとすると、ビッグバンの以前の原子数は1.0765×1079×a6、です。
ビッグバンの以前の原子の数
表3
2020201708.tif 000006
それで、宇宙の原子数を1.0765×1079個とする。
６．    マイナスの宇宙のA=1の場の球体はどのようであるか。
マイナスの宇宙のA=1の場の電磁気1個の大きさは、1.233×10−41Jm÷(電磁気1個のエネルギー)＝1.233×10−41Jm÷(1.821×10−19J)＝6.771×10−23m、です。
宇宙の電磁気の数＝宇宙の原子数×１原子の電子のラブと陽子のラブの数×1個の素粒子の電磁気数＝1.077×1079個×2×7.028×1017個＝1.504×1097個
半径にr個の電磁気が存在するとする。
4/3×πr3＝1.504×1097個
r3＝1.504×1097個÷4π×3＝3.592×1096個
r=1.53×1032個
半径＝電磁気の個数×電磁気1個の大きさ＝1.53×1032個×6.771×10−23ｍ＝1.036×1010m
ビッグバンの以前の宇宙の初めのブラックホールの半径は1.036×1010mです。
７．    ビッグバンのときの宇宙の大きさはいくらか。
陽子のラブの数は1.077×1079個です。
半径に存在する陽子のラブの数をｒとする。
4/3×πr3＝1.077×1079個
r3=1.077×1079個×3÷4π＝2.572×1078個
r=1.37×1026個
ビッグバンのときの陽子のラブの大きさは、1.233×10−41Jm÷ (1.591×104J)＝7.750×10−46m、です。
ビッグバンのときの陽子のラブの塊の半径＝半径に存在する陽子のラブの数×陽子のラブの大きさ＝1.37×1026個×7.750×10−46m＝1.062×10−19m
ビッグバンのとき、陽子のラブが飛び出した時の宇宙の半径は1.062×10−19mです。
ビッグバンのとき、電子のラブが飛び出した時の半径はいくらか。
ビッグバンのときの電子のラブの大きさは、1.233×10−41Jm÷(8.664J)＝1.423×10−42m、です。
ビッグバンのときの電子のラブの塊の半径＝半径に存在する電子のラブの数×電子のラブの大きさ＝1.37×1026個×1.423×10−42m＝1.950×10−16m、です。
ビッグバンのとき、電子のラブが飛び出した時の半径は1.950×10−16mです。
まとめて表に示す。
表4
2020201708.tif 000007
表5
2020201708.tif 000008
【産業上の利用可能性】
【０００９】
素粒子や宇宙を理解することは産業上の発展に役立つ。
【符号の説明】
【００１０】
１    マイナスの宇宙(ビッグバンの以前の宇宙)
２    マイナスの宇宙のA=1の場の球体＝半径1010mの球体
３    ビッグバンのときの宇宙の大きさで、ビッグバンのときの陽子のラブの塊の半径＝10−19ｍ
４    ビッグバンのときの宇宙の大きさで、ビッグバンのときの電子のラブの塊の半径＝1.950×10−16m
【図１】
2020201708.tif 000015